(57)【特許請求の範囲】
【請求項１】
被加熱調理器具下方に設けられ、内側誘導加熱コイルと前記内側誘導加熱コイルにコイル線でつながる外側誘導加熱コイルとからなる誘導加熱コイルと、前記誘導加熱コイルを位置決めし支持するコイル取り付け台とを備え、前記コイル取り付け台は、前記内側誘導加熱コイルを前記コイル取り付け台にセットする時に前記内側誘導加熱コイルを前記コイル取り付け台に位置決めしかつ前記内側誘導加熱コイルの外周から、前記内側誘導加熱コイルから前記外側誘導加熱コイルにつながるコイル線へ沿って設けた第一の渦巻き型凸部と、前記外側誘導加熱コイルを前記コイル取り付け台にセットする時に前記外側誘導加熱コイルを前記コイル取り付け台に位置決めしかつ前記内側誘導加熱コイルから前記外側誘導加熱コイルにつながるコイル線から、前記外側誘導加熱コイルの内周へ沿って設けた第二の渦巻き型凸部と、を有する誘導加熱調理器。
【発明の詳細な説明】
【０００１】
【発明の属する技術分野】
本発明は一般家庭用として調理に用いられる誘導加熱調理器に関するものである。
【０００２】
【従来の技術】
以下、従来の技術について説明する。誘導加熱コイルのコイル取り付け台への位置決め構成としては、例えば、特開平６−２４３９５９号公報に記載されているようなものがあった。図１０は前記公報に記載された従来のコイル取り付け台を示すものである。
【０００３】
図１０において、８、９はコイル取り付け台の中心を中心位置とする同心円状の第一および第二のリングの凸部であり、間隔は内側誘導加熱コイル４が納まるリングとし、１０は誘導加熱コイルの線径の一巻分の引き出し線が通る溝である。第二のリングの凸部９の外方に外側誘導加熱５コイルが収納される。
【０００４】
【発明が解決しようとする課題】
しかしながら上記従来の構成では、リング状という制約があり、円形の誘導加熱コイルにしか適用できない。また内側誘導加熱コイルの位置決めのみしかできないため、外側誘
導加熱コイルの位置決め構成がなく、外側誘導加熱コイルの位置決めが難しい。さらに、引き出し線を処理する溝が決められており、寸法精度がでにくい誘導加熱コイルの引き出し線の処理を逆に難しくしている。またさらに、コイル取り付け台の共用化など、柔軟性がないという課題を有していた。
【０００５】
本発明は前記従来の課題を解決するもので、コイル取り付け台に、誘導加熱コイルの内側と外側の誘導加熱コイルを形状にかかわらず正確に位置決めできるようにし、被加熱調理器具に対して磁束のもれを軽減し、効果的に被加熱調理器具を加熱でき、また、引き出し線およびコイル間の線の処理を容易にして、製造時の作業性の向上を可能とした誘導加熱調理器を提供することを目的とする。
【０００６】
【課題を解決するための手段】
前記従来の課題を解決するために、本発明の誘導加熱調理器は、被加熱調理器具下方に設けられ、内側誘導加熱コイルと前記内側誘導加熱コイルにコイル線でつながる外側誘導加熱コイルとからなる誘導加熱コイルと、前記誘導加熱コイルを位置決めし支持するコイル取り付け台とを備え、前記コイル取り付け台は、前記内側誘導加熱コイルを前記コイル取り付け台にセットする時に前記内側誘導加熱コイルを前記コイル取り付け台に位置決めしかつ前記内側誘導加熱コイルの外周から、前記内側誘導加熱コイルから前記外側誘導加熱コイルにつながるコイル線へ沿って設けた第一の渦巻き型凸部と、前記外側誘導加熱コイルを前記コイル取り付け台にセットする時に前記外側誘導加熱コイルを前記コイル取り付け台に位置決めしかつ前記内側誘導加熱コイルから前記外側誘導加熱コイルにつながるコイル線から、前記外側誘導加熱コイルの内周へ沿って設けた第二の渦巻き型凸部と、を有する構成としたものである。
【０００７】
これによって、コイル取り付け台に内側と外側の誘導加熱コイルを位置決めでき、また、各部分的に配した凸部の間から、引き出し線およびコイル間の線を通すことができる。
【０００８】
また、コイル取り付け台に内側と外側の誘導加熱コイルを正確に位置決めでき加熱効率の向上を可能とすることができる。また、内側と外側の二重にした誘導加熱コイルのコイル間の線の処理を容易にし、セットの方向性を確実にすることができる。
【０００９】
【発明の実施の形態】
請求項１に記載の発明は、被加熱調理器具下方に設けられ、内側誘導加熱コイルと前記内側誘導加熱コイルにコイル線でつながる外側誘導加熱コイルとからなる誘導加熱コイルと、前記誘導加熱コイルを位置決めし支持するコイル取り付け台とを備え、コイル取り付け台は、前記内側誘導加熱コイルを前記コイル取り付け台にセットする時に前記内側誘導加熱コイルを前記コイル取り付け台に位置決めしかつ前記内側誘導加熱コイルの外周から、前記内側誘導加熱コイルから外側誘導加熱コイルにつながるコイル線へ沿って設けた第一の渦巻き型凸部と、前記外側誘導加熱コイルを前記コイル取り付け台にセットする時に前記外側誘導加熱コイルを前記コイル取り付け台に位置決めしかつ前記内側誘導加熱コイルから前記外側誘導加熱コイルにつながるコイル線から、前記外側誘導加熱コイルの内周へ沿って設けた第二の渦巻き型凸部と、を有することにより、コイル取り付け台に内側と外側の誘導加熱コイルを正確に位置決めでき加熱効率の向上を可能とすることができる。また、内側と外側の二重にした誘導加熱コイルのコイル間の線の処理を容易にし、セットの方向性を確実にすることができる。
【００１０】
【実施例】
以下本発明の実施例について、図面を参照しながら説明する。
【００１１】
（参考例１）
図１は本発明の第１の参考例における誘導加熱調理器の断面図を示すものであり、図２は本発明の第１の参考例におけるコイル取り付け台に誘導加熱コイルをセットした状態を示すものである。
【００１２】
図１および図２において、１１は被加熱器具、１２は被加熱器具を置載する結晶化ガラスからなるトッププレート、１３はトッププレートを支持する誘導加熱調理器の本体外枠、１４は被加熱調理器具およびトッププレート下方に配した誘導加熱コイルの内側誘導加熱コイル、１５は前記誘導加熱コイルの外側誘導加熱コイル、１６は誘導加熱コイルを支持するコイル取り付け台、１７は加熱制御する制御回路である。１８は、コイル取り付け台上に、内側誘導加熱コイルの内周に沿って部分的に配した第一の凸部、１９はコイル取り付け台上に、内側誘導加熱コイルの外周に沿って部分的に配した第二の凸部、２０はコイル取り付け台上に、外側誘導加熱コイルの内周に沿って部分的に配した第三の凸部、２１はコイル取り付け台上に、外側誘導加熱コイルの外周に沿って部分的に配した第四の凸部である。本実施例では、各凸部高さを誘導加熱コイルの厚み以上としたが、各凸部は、誘導加熱コイルのずれを防ぐことが出来れば良く、凸部の高さおよび形状はとわない。
【００１３】
以上のように構成された誘導加熱調理器について、以下その動作、作用を説明する。
【００１４】
まず、制御回路により、誘導加熱コイルから高周波磁界を発生させ、誘導加熱コイル上方のトッププレートを磁界が通過し、トッププレート上に置載された被加熱器具の表面を加熱する。加熱するための高周波磁界の発振制御には、誘導加熱コイルから被加熱調理器具の距離および位置関係が重要であり、距離および位置のずれがおこると、被加熱調理器具に対して磁束のもれがおこり、所望の加熱が行われないという不具合を発生してしまう。従って誘導加熱コイルのコイル取り付け台への位置決め固定を確実に行う必要がある。ここでコイル取り付け台上に設けた第一、第二、第三、第四の凸部により、コイル取り付け台に内側と外側の誘導加熱コイルを位置決めでき、また、各部分的に配した凸部の間から、引き出し線およびコイル間の線を通すことができる。
【００１５】
以上のように、本参考例おいては、コイル取り付け台上に、内側誘導加熱コイルの内周に沿って部分的に配した第一の凸部と、内側誘導加熱コイルの外周に沿って部分的に配した第二の凸部と、外側誘導加熱コイルの内周に沿って部分的に配した第三の凸部と、外側誘導加熱コイルの外周に沿って部分的に配した第四の凸部を設けることにより、コイル取り付け台に内側と外側の誘導加熱コイルを形状にかかわらず正確に位置決めでき、被加熱調理器具に対して磁束のもれを軽減し、効果的に被加熱調理器具を加熱することができる。
【００１６】
また、本参考例の各部分的に配した凸部の間から、引き出し線およびコイル間の線を通すことができるため、線の処理を容易にし、製造時の作業性の向上を可能とすることができる。
【００１７】
なお、本参考例では、凸部を内側誘導加熱コイルおよび外側誘導加熱コイルの内外周両方に設けたが、内外誘導加熱コイルの内外周のいずれか一方に凸部を配しても前記と同様の効果を得ることが出来る。
【００１８】
（参考例２）
図３は本発明の第２の参考例における誘導加熱調理器の断面図を示すものであり、図４は本発明の第２の参考例におけるコイル取り付け台に誘導加熱コイルをセットした状態を示すものである。
【００１９】
参考例１の構成と異なるところは、コイル取り付け台上に、内側誘導加熱コイルの内周
に沿って部分的に配した第一の凸部２２と、内側誘導加熱コイルの外周に沿って部分的に配し、内側誘導加熱コイルをコイル取り付け台と挟み込む第一のＬ字形状２３と、外側誘導加熱コイルの内周に沿って部分的に配した第二の凸部２４と、外側誘導加熱コイルの外周に沿って部分的に配し、外側誘導加熱コイルをコイル取り付け台と挟み込む第二のＬ字形状２５を設けた点である。
【００２０】
以上のように構成された誘導加熱調理器について、以下その動作、作用を説明する。
【００２１】
まず、コイル取り付け台上に、内側誘導加熱コイルの内周に沿って部分的に配した第一の凸部と、内側誘導加熱コイルの外周に沿って部分的に配した内側誘導加熱コイル上部にかぶさる第一のＬ字形状と、外側誘導加熱コイルの内周に沿って部分的に配した第二の凸部と、外側誘導加熱コイルの外周に沿って部分的に配した外側誘導加熱コイル上部にかぶさる第二のＬ字形状を設けることにより、コイル取り付け台に内側と外側の誘導加熱コイルを正確に位置決めできる。また、各部分的に配した凸部およびＬ字部の間から、引き出し線およびコイル間の線を通すことができる。またさらに、コイル上部にかぶさるＬ字形状により、誘導加熱コイルセット後、誘導加熱コイルがコイル取り付け台からはずれにくくすることができる。
【００２２】
以上のように、本参考例においては、コイル取り付け台上に、内側誘導加熱コイルの内周に沿って部分的に配した第一の凸部と、内側誘導加熱コイルの外周に沿って部分的に配した内側誘導加熱コイル上部にかぶさる第一のＬ字形状と、外側誘導加熱コイルの内周に沿って部分的に配した第二の凸部と、外側誘導加熱コイルの外周に沿って部分的に配した外側誘導加熱コイル上部にかぶさる第二のＬ字形状を設けることにより、コイル取り付け台に内側と外側の誘導加熱コイルを正確に位置決めでき、被加熱調理器具に対して磁束のもれを軽減し、効果的に被加熱調理器具を加熱することができる。
【００２３】
また、本参考例では、各部分的に配した凸部およびＬ字部の間から、引き出し線およびコイル間の線を通すことができるため、線の処理を容易にし、製造時の作業性の向上を可能とすることができる。
【００２４】
また、本参考例のコイル上部にかぶさるＬ字形状により、誘導加熱コイルセット後、誘導加熱コイルがコイル取り付け台からはずれにくくし、セット後の製造作業を容易にするとともに、誘導加熱コイルのコイル取り付け台への固定をＬ字押さえの部分だけ簡素化できる。
【００２５】
なお、本参考例では、各凸部高さを誘導加熱コイルの厚み以上としたが、各凸部は、誘導加熱コイルのずれを防ぐことが出来れば良く、凸部の高さおよび形状はとわない。
【００２６】
（実施例１）
図５は本発明の第１の実施例における誘導加熱調理器の断面図を示すものであり、図６は本発明の第１の実施例におけるコイル取り付け台に誘導加熱コイルをセットした状態を示すものである。
【００２７】
参考例１の構成と異なるところは、コイル取り付け台上に、内側誘導加熱コイルの外周から、内側誘導加熱コイルから外側誘導加熱コイルにつながるコイル線へ沿って設けた第一の渦巻き型凸部２６と、内側誘導加熱コイルから外側誘導加熱コイルにつながるコイル線から、外側誘導加熱コイルの外周へ沿って設けた第二の渦巻き型凸部２７を設けた点である。
【００２８】
以上のように構成された誘導加熱調理器について、以下その動作、作用を説明する。
【００２９】
まず、コイル取り付け台上に、内側誘導加熱コイルの外周から、内側誘導加熱コイルから外側誘導加熱コイルにつながるコイル線へ沿って設けた第一の渦巻き型凸部と、内側誘導加熱コイルから外側誘導加熱コイルにつながるコイル線から、外側誘導加熱コイルの外周へ沿って設けた第二の渦巻き型凸部を設けることにより、コイル取り付け台に内側と外側の誘導加熱コイルを正確に位置決めでき、また、内側と外側の二重にした誘導加熱コイルのコイル間の線を一定方向に通すことができる。
【００３０】
以上のように、本実施例においては、コイル取り付け台上に、内側誘導加熱コイルの外周から、内側誘導加熱コイルから外側誘導加熱コイルにつながるコイル線へ沿って設けた第一の渦巻き型凸部と、内側誘導加熱コイルから外側誘導加熱コイルにつながるコイル線から、外側誘導加熱コイルの外周へ沿って設けた第二の渦巻き型凸部を設けることにより、コイル取り付け台に内側と外側の誘導加熱コイルを正確に位置決めでき、被加熱調理器具に対して磁束のもれを軽減し、効果的に被加熱調理器具を加熱することができる。
【００３１】
また、内側と外側の二重にした誘導加熱コイルのコイル間の線の処理を容易にし、セットの方向性を確実にすることができる。
【００３２】
なお、本実施例では、各凸部高さを誘導加熱コイルの厚み以上としたが、各凸部は、誘導加熱コイルのずれを防ぐことが出来れば良く、凸部の高さおよび形状はとわない。
【００３３】
（参考例３）
図７は本発明の第３の参考例におけるコイル取り付け台に誘導加熱コイルをセットした状態を示すものである。
【００３４】
参考例１の構成と異なるところは、誘導加熱コイルを自己融着線で形成し、コイル取り付け台上面に、位置決め圧接し、誘導加熱コイルに電流を流して加熱し、コイル取り付け台表面に誘導加熱コイルを融着して、誘導加熱コイルをコイル取り付け台に固定した点である。
【００３５】
以上のように構成された誘導加熱調理器について、以下その動作、作用を説明する。
【００３６】
まず、誘導加熱コイルを自己融着線で形成し、コイル取り付け台上面に、位置決め圧接し、誘導加熱コイルに電流を流して約２２０℃になるまで加熱し、誘導加熱コイルの融着層がとけてコイル取り付け台表面に固着して、誘導加熱コイルをコイル取り付け台に固定することができる。
【００３７】
以上のように、本参考例においては、誘導加熱コイルを自己融着線で形成し、コイル取り付け台上面に、位置決め圧接し、誘導加熱コイルに電流を流して加熱し、コイル取り付け台表面に誘導加熱コイルを融着して、誘導加熱コイルをコイル取り付け台に固定することにより、誘導加熱コイルのコイル取り付け台への固定を、接着材を使用せず、容易で短時間に行うことができる。
【００３８】
（参考例４）
図８は本発明の第４の参考例における誘導加熱調理器の断面図を示すものであり、図９は本発明の第４の参考例におけるコイル取り付け台に誘導加熱コイルをセットした状態を示すものである。
【００３９】
参考例１の構成と異なるところは、コイル取り付け台の誘導加熱コイル外周の一方に、第一の引っ掛け部２８を設け、誘導加熱コイル中心に対し、前記引っ掛け部の反対方向に
第二の引っ掛け部２９を配し、シリコンゴムよりなる弾性体３０を、第一の引っ掛け部から誘導加熱コイル上部を通り第二の引っ掛け部へ取り付けて、誘導加熱コイルを固定した点である。
【００４０】
以上のように構成された誘導加熱調理器について、以下その動作、作用を説明する。
【００４１】
まず、コイル取り付け台の誘導加熱コイル外周の一方に、第一の引っ掛け部を設け、誘導加熱コイル中心に対し、前記引っ掛け部の反対方向に第二の引っ掛け部を配し、弾性体を、第一の引っ掛け部から誘導加熱コイル上部を通り第二の引っ掛け部へ取り付けて、誘導加熱コイルを固定することができる。
【００４２】
以上のように、本参考例においては、コイル取り付け台の誘導加熱コイル外周の一方に、第一の引っ掛け部を設け、誘導加熱コイル中心に対し、前記引っ掛け部の反対方向に第二の引っ掛け部を配し、弾性体を、第一の引っ掛け部から誘導加熱コイル上部を通り第二の引っ掛け部へ取り付けて、誘導加熱コイルを固定することにより、誘導加熱コイルのコイル取り付け台への固定を、接着材を使用せず、容易で短時間に、加工設備不要で行うことができる。
【００４３】
なお、本参考例では、弾性体をシリコンゴムで形成したが、誘導加熱コイルを固定できれば良く、材料および形状は問わない。
【００４４】
【発明の効果】
以上のように、本発明によれば、コイル取り付け台に、誘導加熱コイルの内側と外側の誘導加熱コイルを形状にかかわらず正確に位置決めでき、被加熱調理器具に対して磁束のもれを軽減し、効果的に被加熱調理器具を加熱することができる。
【００４５】
また、引き出し線およびコイル間の線の処理を容易にし、製造時の作業性の向上を可能とすることができる。
【図面の簡単な説明】
【図１】  本発明の参考例１における誘導加熱調理器の全体断面図
【図２】  本発明の参考例１におけるコイル取り付け台と誘導加熱コイル構成概略図
【図３】  本発明の参考例２における誘導加熱調理器の全体断面図
【図４】  本発明の参考例２におけるコイル取り付け台と誘導加熱コイル構成概略図
【図５】  本発明の実施例１における誘導加熱調理器の全体断面図
【図６】  本発明の実施例１におけるコイル取り付け台と誘導加熱コイル構成概略図
【図７】  本発明の参考例３におけるコイル取り付け台と誘導加熱コイル構成概略図
【図８】  本発明の参考例４における誘導加熱調理器の全体断面図
【図９】  本発明の参考例４におけるコイル取り付け台と誘導加熱コイル構成概略図
【図１０】  特開平６−２４３９５９号公報のコイル取り付け台と誘導加熱コイル構成図
【符号の説明】
１１  被加熱器具
１２  トッププレート
１３  本体外枠
１４  内側誘導加熱コイル
１５  外側誘導加熱コイル
１６  コイル取り付け台
１７  制御回路
１８、２２  第一の凸部
１９、２４  第二の凸部
２０  第三の凸部
２１  第四の凸部
２３  第一のＬ字形状
２５  第二のＬ字形状
２６  第一の渦巻き型凸部
２７  第二の渦巻き型凸部
２８  第一の引っかけ部
２９  第二の引っかけ部
３０  弾性体
【図１】
0004474777.tif 000002
【図２】
0004474777.tif 000003
【図３】
0004474777.tif 000004
【図４】
0004474777.tif 000005
【図５】
0004474777.tif 000006
【図６】
0004474777.tif 000007
【図７】
0004474777.tif 000008
【図８】
0004474777.tif 000009
【図９】
0004474777.tif 000010
【図１０】
0004474777.tif 000011